(57)【要約】【課題】本発明の課題は、間の感覚に近い操作性を可能とする画像処理装置及びプレビュー表示方法を提供することを目的とする。【解決手段】本発明の課題は、読込画像をプレビューする画像処理装置であって、前記プレビューされた前記読込画像上をユーザーが操作することによって該読込画像に対する加工条件を設定可能とし、該設定に連動して該加工条件が施された結果を表示部に表示するプレビュー操作手段を有する画像処理装置によって達成される。【選択図】図１２
2011229181.tif 000002
【特許請求の範囲】
【請求項１】
読込画像をプレビューする画像処理装置であって、
前記プレビューされた前記読込画像上をユーザーが操作することによって該読込画像に対する加工条件を設定可能とし、該設定に連動して該加工条件が施された結果を表示部に表示するプレビュー操作手段を有することを特徴とする画像処理装置。
【請求項２】
前記プレビュー操作手段は、前記ユーザーがプレビューされている前記加工条件の対象画像を操作することを可能とし、該操作した結果を表示部に表示することを特徴とする請求項１記載の画像処理装置。
【請求項３】
前記プレビュー操作手段は、前記ユーザーに仕上げ処理の指定を前記加工条件として設定させることを特徴とする請求項２記載の画像処理装置。
【請求項４】
前記加工条件の設定に応じて、前記画像処理装置内部の画像処理のタイミングを変更することを特徴とする請求項１又は２記載の画像処理装置。
【請求項５】
前記加工条件の設定に応じて、スキャナによって読み込まれている前記読込画像に対して、印刷用の合成処理のタイミング及びプレビュー用の合成処理のタイミングの少なくとも１つを変更することを特徴とする請求項４記載の画像処理装置。
【請求項６】
前記プレビュー操作手段は、前記プレビューされた前記読込画像上でユーザーが捲り方向をドラッグすることによって留め位置を指定可能とし、捲り状態を動画でプレビューすることを特徴とする請求項２乃至５のいずれか一項記載の画像処理装置。
【請求項７】
前記プレビュー操作手段は、前記留め位置の指定後、ユーザーがプレビューされた前記読込画像上でドラッグした捲り方向が前記留め位置と対応しない場合、メッセージを表示することを特徴とする請求項６記載の画像処理装置。
【請求項８】
前記プレビュー操作手段は、
前記留め位置と前記読込画像とが重なるか否かを判断する判断手段と、
前記留め位置と前記読込画像とが重なる場合、警告するメッセージを表示する警告表示手段とを有することを特徴とする請求項６又は７項記載の画像処理装置。
【請求項９】
前記プレビュー操作手段は、前記留め位置と前記読込画像とが重なると判断した場合、留め位置を調整するための機能ボタンを表示することを特徴とする請求項８記載の画像処理装置。
【請求項１０】
前記プレビュー操作手段は、画像を読み取る前と後で有効であることを特徴とする請求項１乃至９のいずれか一項記載の画像処理装置。
【請求項１１】
画像処理装置にて表示パネルに読込画像をプレビューするプレビュー表示方法であって、
前記プレビューされた前記読込画像上をユーザーが操作することによって該読込画像に対する加工条件を設定可能とし、該設定に連動して該加工条件が施された結果を表示部に表示するプレビュー操作手順を有することを特徴とするプレビュー表示方法。
【請求項１２】
前記プレビュー操作手順は、プレビューされた前記読込画像上で留め位置を指定可能とすることを特徴とする請求項１１記載のプレビュー表示方法。
【請求項１３】
前記プレビュー操作手順は、前記ユーザーに仕上げ処理の指定を前記加工条件として設定させることを特徴とする請求項１１記載のプレビュー表示方法。
【請求項１４】
前記加工条件の設定に応じて、前記画像処理装置内部の画像処理のタイミングを変更することを特徴とする請求項１１乃至１３のいずれか一項記載のプレビュー表示方法。
【請求項１５】
前記プレビュー操作手順は、前記画像処理装置が画像を読み取る前と後とで有効であることを特徴とする請求項１１乃至１４のいずれか一項記載のプレビュー表示方法。
【発明の詳細な説明】
【技術分野】
【０００１】
本発明は、画像処理装置に関し、特に、人間の感覚に近い操作性を可能とする画像処理装置及びプレビュー表示方法を提供するものである。
【背景技術】
【０００２】
近年、コピー又はスキャナなどの機能を備えた画像処理装置において、それら機能を用いて画像形成する際のユーザーによる加工条件の設定を容易とする方法が提案されている。
【０００３】
例えば、スキャナの読み取り条件を選択してプレスキャンし、その画像をＯＣＲ処理して認識率の高い読み取り条件を自動的に見つけることにより、ユーザーによる設定を容易とする画像読取装置が提案されている（特許文献１参照）。
【０００４】
また、ユーザーがプレスキャンしたプレビュー画像を回転させた回転角度で本スキャンを行うようにしたスキャナ装置が提案されている（特許文献２参照）。
【発明の概要】
【発明が解決しようとする課題】
【０００５】
ユーザーがコピーする際に両面、集約、ステープルなどの加工条件の設定を行う場合、出力した印刷物が所望の仕上がりとは異なってしまうことがあった。そのため、ユーザーは、試しにその加工条件でコピーを実行し、その出力されたコピーを確認し、必要に応じて加工条件を変更する必要があった。
【０００６】
加工条件の設定に従って、読み取った画像を縮小したサムネイルを表示する際にステープルが打たれた状態を画像にして表示することもなされていたが、ステープルされることが視覚的に認識できる程度の固定的な表示であった。
【０００７】
従って、ユーザーは、設定した加工条件が所望する出力となるのか否かは、実際に出力してみないと分からなかった。
【０００８】
上記従来の方法では、事前に実際の出力状態を視覚的に確認すると共に設定を変更する手段がないため、ユーザーが出力前に視覚的かつ直感的に画像形成する際の加工条件の設定を容易とするものではなかった。
【０００９】
そこで、本発明の課題は、人間の感覚に近い操作性を可能とする画像処理装置及びプレビュー表示方法を提供することである。
【課題を解決するための手段】
【００１０】
上記課題を解決するため、本発明は、読込画像をプレビューする画像処理装置であって、前記プレビューされた前記読込画像上をユーザーが操作することによって、該読込画像に対する加工条件を設定可能とするプレビュー操作手段を有するように構成される。
【００１１】
また、本発明に係る画像処理装置において、前記プレビュー操作手段は、プレビューされた前記読込画像上で留め位置を指定可能とするように構成できる。
【００１２】
更に、本発明に係る画像処理装置において、プレビューされた前記読込画像上で捲り方向をドラッグすることによって指定可能とし、該捲り方向に応じた留め位置を設定するように構成できる。
【００１３】
このような画像処理装置では、人間の感覚に近い操作性で画像形成に係る加工条件を設定可能とする。
【発明の効果】
【００１４】
本発明によれば、ユーザーは、プレビューを直接操作することによって印刷の際の加工条件を設定することができる。また、プレビューの画像上でクリックやドラッグなどの操作で設定をすることが可能となる。ユーザーは、視覚的かつ直感的に設定を行うことができる。
【００１５】
更に、プレビューの画像上で所望の位置をタッチするとステープルを打つ位置を指定できる。また、ボタンによる設定と、プレビューの画面上での操作による設定とで、ユーザーの操作性を向上させることができる。
【図面の簡単な説明】
【００１６】
【図１】本発明の一実施例に係る画像処理装置の機能構成を示す図である。
【図２】本発明の一実施例に係る画像処理装置のハードウェア構成を示す図である。
【図３】オペレーションパネルのハードウェア構成を示す図である。
【図４】オペレーションパネルの概観図である。
【図５】動画合成をオペレーションパネルで行うための構成を示す図である。
【図６】蓄積と同時に表示を行う場合のデータフローを示す図である。
【図７】蓄積後に加工条件を指定した場合のデータフローを示す図である。
【図８】加工後に印刷する場合のデータフローを示す図である。
【図９】加工後に蓄積する場合のデータフローを示す図である。
【図１０】２回目以降の加工条件を設定する場合のデータフローを示す図である。
【図１１】加工条件を初期状態にする場合のデータフローを示す図である。
【図１２】両綴じステープルの場合のステープル位置と捲り方向との関連性を説明するための図である。
【図１３】端面ステープルの場合のステープル位置と捲り方向との関連性を説明するための図である。
【図１４】端面ステープルの場合のステープル位置と捲り方向との関連性を説明するための図である。
【図１５】パンチの場合のパンチの位置と捲り方向との関連性を説明するための図である。
【図１６】綴じ方と捲り方向とを対応付けしたテーブル例を示す図である。
【図１７】処理全体の概要を説明するためのフローチャートである。
【図１８】原稿を読み込み後のプレビュー表示の画面例を示す図である。
【図１９】回転を指定した場合のプレビュー表示の例を示す図である。
【図２０】自動ページ捲りボタンが選択された場合の画面例を示す図である。
【図２１】ステープル位置の指定に係る画面フローを示す図である。
【図２２】集約の指定に係る画面フローを示す図である。
【図２３】両面が指定された場合のプレビュー表示の画面例を示す図である。
【図２４】捲り方向の指定の例を示す図である。
【図２５】シートが捲れていく状態の動画の例を示す図である。
【図２６】捲ったシートの仕上がり状態をプレビューする画面例を示す図である。
【図２７】前ページへ戻るための指定方法を説明するための図である。
【図２８】裏返しを指定した場合のプレビュー表示の画面例を示す図である。
【図２９】展開図に係る画面フローを示す図である。
【図３０】シートの裏面の天地を逆にしてプレビュー表示の画面例を示す図である。
【図３１】捲り方向の指定によってステープル位置を決める場合のプレビュー表示の画面例を示す図である。
【図３２】捲り方向の指定の例を説明するための図である。
【図３３】動画で捲っていく画面例を示す図である。
【図３４】捲ったシートの仕上がり状態をプレビューする画面例を示す図である。
【図３５】前ページへ戻るための指定方法を説明するための図である。
【図３６】裏返しを指定した場合のプレビュー表示の画面例を示す図である。
【図３７】展開図に係る画面フローを示す図である。
【図３８】シートの裏面の天地を逆にしてプレビュー表示の画面例を示す図である。
【図３９】原稿を読み取る前に加工条件を指定するための画面フローを示す図である。
【図４０】ステープル位置を調整するための画面フローを示す図である。
【図４１】ステープル位置を移動する場合の画面例を示す図である。
【図４２】原稿画像をシフトする場合の画面例を示す図である。
【図４３】原稿画像を縮小する場合の画面例を示す図である。
【図４４】留め位置被りチェック処理を説明するためのフローチャート図である。
【図４５】通常処理のタイミングチャートを示す図である。
【図４６】原稿画像をプレビュー表示する際の表示フローを示す図である。
【図４７】回転方法が加工条件として指定された場合のタイミングチャートを示す図である。
【図４８】読み取り時の原稿画像と表示時の原稿画像の状態を示す図である。
【図４９】ユーザーのドラッグによってページ捲りが指定された場合のタイミングチャートを示す図である。
【図５０】自動ページ捲りで原稿画像を順次表示する場合のタイミングチャートを示す図である。
【図５１】４枚集約でプレビュー表示させる場合の第一のタイミングチャートを示す図である。
【図５２】第一のタイミングチャートに基づく縮小原稿画像単位で表示して４枚集約をプレビュー表示する画面フローを示す図（その１）である。
【図５３】第一のタイミングチャートに基づく縮小原稿画像単位で表示して４枚集約をプレビュー表示する画面フローを示す図（その２）である。
【図５４】第一のタイミングチャートに基づく縮小原稿画像単位で表示して４枚集約をプレビュー表示する画面フローを示す図（その３）である。
【図５５】第一のタイミングチャートに基づく縮小原稿画像単位で表示して４枚集約をプレビュー表示する画面フローを示す図（その４）である。
【図５６】４枚集約でプレビュー表示させる場合の第二のタイミングチャートを示す図である。
【図５７】第二のタイミングチャートに基づく縮小原稿画像単位で表示して４枚集約をプレビュー表示する画面フローを示す図である。
【図５８】２枚集約でプレビュー表示させる場合の第三のタイミングチャートを示す図である。
【図５９】プレビュー表示した原稿画像にステープルマークを表示する場合のタイミングチャートを示す図である。
【図６０】ステープル位置指定による画面フローを示す図である。
【図６１】ステープル位置が指定され確定したプレビュー表示の例を示す図である。
【発明を実施するための形態】
【００１７】
以下、本発明の実施の形態を図面に基づいて説明する。
【００１８】
図１は、本発明の一実施例に係る画像処理装置の機能構成を示す図である。画像処理装置１は、ソフトウェア群２と，ハードウェア資源４と、オペレーションパネル８０とを含むように構成される。図１では、本発明の説明を簡潔にするために、必要な構成のみを示す。
【００１９】
ソフトウェア群２は、後述されるコントローラ６０のＣＰＵ６１のプログラムの実行によって実現される種々の機能を有する。ハードウェア資源４は、プロッタ１１と，スキャナ１２などで構成される。オペレーションパネル８０は、ユーザーからの入力操作を受け付けると共に、ユーザーのための表示を行う操作部である。
【００２０】
ソフトウェア群２は、アプリケーション層５と、プラットフォーム６などの階層をＯＳ（Operating System）上に構成するＯＳは、アプリケーション層５およびプラットフォーム６の各ソフトウェアをプロセスとして並列実行する。
【００２１】
アプリケーション層５は、例えば、コピー機能をユーザーに提供するためのコピーアプリ２２を含み、他アプリケーションを含むことも可能である。
【００２２】
プラットフォーム６は、アプリケーション層５からの処理要求を解釈してハードウェア資源４の使用を管理し、ＭＣＳ（Memory Control Service）３６と、ＩＭＨ（Image Memory Handler）４１とを含む。ＭＣＳ３６は、メモリの取得又は解放，ＨＤＤの利用，画像データの圧縮および伸張などの制御を行う。ＩＭＨ４１は、メモリの管理を行う。
【００２３】
コピーアプリ２２は、プレビュー表示するための画像をＭＣＳ３６に依頼すると、ＭＣＳ３６は、ＩＭＨ４１に対してスキャナ１２で読み取った画像の取得を依頼する。スキャナ１２は原稿を読み取り画像の取得が終了すると，ＩＭＨ４１に取得したことを通知する．ＩＭＨ４１は、ＭＣＳ３６に依頼された画像を取得したことを通知し、ＭＣＳ３６は、コピーアプリ２２に依頼された画像が取得できたことを通知する。コピーアプリ２２は、取得した画像をプレビュー表示させるために、オペレーションパネル８０と通信する。
【００２４】
オペレーションパネル８０にプレビュー表示がなされ、ユーザーが所望の操作をプレビュー表示に対して行い、所望の機能の条件設定が確定すると、コピーアプリ２２は、オペレーションパネル８０から条件設定を受信して、ＭＣＳ３６を介してＩＭＨ４１にスキャナ１２で読み取った画像に対する加工処理を行わせ、プロッタ１１を用いて所定媒体に画像形成を行う。
【００２５】
図２は、本発明の一実施例に係る画像処理装置のハードウェア構成を示す図である。図２の画像処理装置１は、コントローラ６０と、オペレーションパネル８０と、プロッタ１１と、スキャナ１２とを有する。
【００２６】
図２において、コントローラ６０は、ＣＰＵ（Central Processing Unit）６１と、システムメモリ６２と、ＮＢ（North Bridge）６３と、ＡＳＩＣ（Application Specific Integrated Circuit）６６と、ローカルメモリ６７と、ＨＤＤ（Hard Disk Device）６８と、外部インタフェース７０とを有する。
【００２７】
オペレーションパネル８０は、コントローラ６０のＡＳＩＣ６６に接続されている。また、プロッタ１１と、スキャナ１２とはコントローラ６０のＡＳＩＣ６６にＰＣＩ（Peripheral Component Interconnect）バス７９を介して接続されている。
【００２８】
コントローラ６０は、ＡＳＩＣ６６にローカルメモリ６７，ＨＤＤ６８などが接続されると共に、ＣＰＵ６１とＡＳＩＣ６６とがＣＰＵチップセットのＮＢ６３を介して接続されている。なお、ＡＳＩＣ６６とＮＢ６３とはＡＧＰ（Accelerated Graphics Port）６５を介して接続されている。
【００２９】
ＣＰＵ６１は、画像処理装置１の全体制御を行うものである。ＣＰＵ６１は、ＭＣＳ３６、ＩＭＨ４１をＯＳ上に起動させると共に、アプリケーション層５を形成するコピーアプリ２２などを起動して実行させる。
【００３０】
ＮＢ６３は、ＣＰＵ６１、システムメモリ６２、ＡＳＩＣ６６、及び外部インタフェース７０を接続するためのブリッジである。ＮＢ６３は、ＰＣＩバス７３を介して外部インタフェース７０と接続されている。
【００３１】
システムメモリ６２は、描画用メモリ等として用いるメモリである。ローカルメモリ６７は、コピー用画像バッファ，符号バッファ等として用いるメモリである。ＡＳＩＣ６６は、画像処理用のハードウェア要素を有する画像処理用途向けのＩＣである。また、ＨＤＤ６８は画像データの蓄積，文書データの蓄積，プログラムの蓄積，フォントデータの蓄積，フォームの蓄積などを行うストレージ（補助記憶装置）の一例である。
【００３２】
外部インタフェース７０は、画像処理装置１をインターネットやＬＡＮ等のネットワークに接続するインタフェース機器である。また、オペレーションパネル８０は、ユーザーからの入力操作を受け付けると共に、ユーザーに向けた表示を行う操作部である。
【００３３】
図３は、オペレーションパネルのハードウェア構成を示す図である。図３において、オペレーションパネル８０は、操作画面用ＣＰＵ８１と、プログラム用メモリ８２と、タッチパネル制御部８３と、表示データ用メモリ８４と、ＬＣＤ（Liquid Crystal Display）コントローラ８５と、液晶パネル９０とを有する。
【００３４】
操作画面用ＣＰＵ８１は、コントローラ６０との通信を可能とし、オペレーションパネル８０全体を制御する。操作画面用ＣＰＵ８１は、操作画面を制御するためのプログラムが格納されているプログラム用メモリ８２からプログラムを読み出して実行することによって、液晶パネル９０への画面表示を制御する。
【００３５】
プログラム用メモリ８２は、オペレーションパネル８０全体を制御するためのプログラムを格納している。タッチパネル制御部８３は、ＬＣＤコントローラ８５を介して、液晶パネル９０に表示された画面上のユーザーによる操作に応じた制御を行う。表示データ用メモリ８４は、プレビュー表示に使用される画像を格納する。ＬＣＤコントローラ８５は、液晶パネル９０への画面の表示制御及びユーザーによる操作に応じた制御等を行う。液晶パネル９０は、タッチパネル機能を備えた液晶画面である。
【００３６】
図４は、オペレーションパネルの概観図である。図４において、オペレーションパネル８０は、液晶パネル８と、機能選択ボタン８ａと、操作ボタン８ｂと、テンキーボタン８ｃと、ボタン８ｄと、スタートボタン８ｅと、スイッチボタン８ｆとを有する。
【００３７】
液晶パネル８には、以下に詳述されるプレビュー表示が行われる。機能選択ボタン８ａは、コピー、ドキュメント、ファックス、プリンタ、スキャナなどの画像形成に係る複数の機能から選択するたえのボタンである。操作ボタン８ｂは、初期設定に関するボタンである。
【００３８】
テンキーボタン８ｃは、数字を入力するためのボタンである。ボタン８ｄは、試しコピー、操作キャンセルなどのためのボタンである。スタートボタン８ｅは、画像形成に係る機能による処理を開始するためのボタンである。スイッチボタン８ｆは、画像処理装置１の電源を入れるためのボタンである。
【００３９】
次に、プレビュー表示するためのＩＭＨ４１とオペレーションパネル８０とに必要となる構成について図５から図９で説明する。
【００４０】
図５は、動画合成をオペレーションパネルで行うための構成を示す図である。図５において、ＩＭＨ４１は、圧縮伸張処理部４１ａと、画像合成処理部４１ｂと、展開メモリ６７ａとＰＣＩコントローラ７９ａとを有する。
【００４１】
圧縮伸張処理部４１ａは、展開メモリ６７ａに展開されている画像データ及びスキャナ１２で読み取った画像データをＨＤＤ６８に格納する際に圧縮し、また、ＨＤＤ６８に格納されている画像データをプロッタ１１で処理する場合及び展開メモリ６７ａに展開する場合に画像データを伸張する処理部である。
【００４２】
画像合成処理部４１ｂは、スキャナ１２が読み込んだ画像データを展開メモリ６７ａに展開して初期状態の加工条件で合成し、また、展開メモリ６７ａに展開されている画像データを設定された加工条件で合成する処理部である。設定された加工条件で合成された画像データは、プロッタ１１で画像形成され出力される。
【００４３】
展開メモリ６７ａは、ＩＭＨ４１によって使用可能なローカルメモリ６７の領域の一部であり、加工された画像データが格納される。
【００４４】
ＰＣＩコントローラ７９ａは、ＰＣＩメモリ７９ｂと、割込処理部７９ｃとを備え、ＰＣＩバス７９を介してスキャナ１２とプロッタ１１をアクセスするための制御を行う。ＰＣＩメモリ７９ｂは、スキャナ１２が読み取った画像データ又はプロッタ１１で画像形成するための画像データを一時的に格納するためのメモリである。
【００４５】
割込処理部７９ｃは、画像合成処理部４１ｂが画像形成するタイミングに応じて割り込み信号を発生させるための処理部である。スキャナ１２は１ライン単位で読み取るため、１ラインを読み取る毎に割り込み信号を発生させ場合、１ライン毎にプレビュー画面が合成されて順次表示される。また、画像を回転させて表示させる場合には、スキャナ１２が読み取った１ライン毎に発生する画像転送クロックの数をカウントし、１ページ分のライン数になったら割り込み信号を発生させる。
【００４６】
オペレーションパネル８０は、表示合成処理部８２ａと、シンボルマーク領域８４ａと、ＬＣＤコントローラ８５とを有する。
【００４７】
表示合成処理部８２ａは、操作画面用ＣＰＵ８１がプログラム用メモリ８２に格納されているプログラムを実行することによって実現される処理部であって、シンボルマーク領域８４ａに格納されている画像を用いて、プレビュー画面のための合成処理を行う。
【００４８】
シンボルマーク領域８４ａは、表示データ用メモリ８４の領域の一部であって、ステープル、パンチなどの絵画像を予め格納している。ＬＣＤコントローラ８５は、合成されたプレビュー画面を液晶パネル９０に表示し、また、ユーザーの液晶パネル９０上の操作に応じた画面表示を行う。
【００４９】
図６は、蓄積と同時に表示を行う場合のデータフローを示す図である。図６において、ＩＭＨ４１では、スキャナ１２で読み取った画像データは、ＰＣＩコントローラ７９ａを介して圧縮伸張処理部４１ａと画像合成処理部４１ｂとに送信される。
【００５０】
圧縮伸張処理部４１ａは、受信した画像データを圧縮してＨＤＤ６８に格納する。画像合成処理部４１ｂは、画像合成を施した画像データを展開メモリ６７ａに格納する。展開メモリ６７ａには、加工された画像データが格納される。
【００５１】
オペレーションパネル８０では、表示合成処理部８２ａが、ＩＭＨ４１の展開メモリ６７ａから受信した画像データとプレビュー表示用にシンボルマーク領域８４ａに格納されている絵画像とを合成した表示データ（プレビュー画像）を作成する。ＬＣＤコントローラ８５は、表示データを液晶パネル９０に表示する。
【００５２】
図７は、蓄積後に加工条件を指定した場合のデータフローを示す図である。図７において、ユーザーがＨＤＤ６８に蓄積されている画像データの加工条件を指定した場合、ＩＭＨ４１では、圧縮伸張処理部４１ａがＨＤＤ６８から読み出した画像データを伸張し、画像合成処理部４１ｂがその画像データに対して指定された加工条件で画像合成して、展開メモリ６７ａに加工された画像データを展開する。
【００５３】
オペレーションパネル８０では、表示合成処理部８２ａが、ＩＭＨ４１の展開メモリ６７ａから受信した画像データとプレビュー表示用にシンボルマーク領域８４ａに格納されている絵画像とを合成した表示データ（プレビュー画像）を作成する。ＬＣＤコントローラ８５は、表示データを液晶パネル９０に表示する。
【００５４】
図８は、加工後に印刷する場合のデータフローを示す図である。図８において、ＩＭＨ４１では、展開メモリ６７ａに格納されている加工された画像データが、ＰＣＩコントローラ７９ａを介して展開メモリ６７ａからプロッタ１１へと送信され、プロッタ１１によって所定媒体上に画像形成が行わる。
【００５５】
図９は、加工後に蓄積する場合のデータフローを示す図である。図９において、ＩＭＨ４１では、展開メモリ６７ａに格納されている加工された画像データが、圧縮伸張処理部４１ａで圧縮されて、ＨＤＤ６８に蓄積される。
【００５６】
図１０は、２回目以降の加工条件を設定する場合のデータフローを示す図である。図１０において、２回目以降の加工条件を設定する場合、画像合成処理部４１ｂは、ＨＤＤ６８から読み出すことなく、展開メモリ６７ａから画像データを読み出して画像合成し、展開メモリ６７ａに加工された画像データを展開する。
【００５７】
オペレーションパネル８０では、表示合成処理部８２ａが、ＩＭＨ４１の展開メモリ６７ａから受信した画像データとプレビュー表示用にシンボルマーク領域８４ａに格納されている絵画像とを合成した表示データ（プレビュー画像）を作成する。ＬＣＤコントローラ８５は、表示データを液晶パネル９０に表示する。
【００５８】
圧縮伸張処理部４１ａがＨＤＤ６８から画像データを読み出して伸張する処理が削減されるため、表示データを液晶パネル９０に表示するまでのパフォーマンス、メモリ資源の使用、電力の消費などを効率的にすることができる。
【００５９】
図１１は、加工条件を初期状態にする場合のデータフローを示す図である。図１１において、例えば設定した加工条件の解除によって加工条件を初期状態にする場合、ＩＭＨ４１では、圧縮伸張処理部４１ａがＨＤＤ６８から読み出した画像データを伸張し、画像合成処理部４１ｂがその画像データに対して初期値の加工条件で画像合成して、展開メモリ６７ａに加工された画像データを展開する。
【００６０】
オペレーションパネル８０では、表示合成処理部８２ａが、ＩＭＨ４１の展開メモリ６７ａから受信した画像データとプレビュー表示用にシンボルマーク領域８４ａに格納されている絵画像とを合成した表示データ（プレビュー画像）を作成する。ＬＣＤコントローラ８５は、表示データを液晶パネル９０に表示する。
【００６１】
また、画像データを縮小又は拡大する毎にこのようなデータフローによる処理とすることによって、品質劣化を防ぐことができる。
【００６２】
発明者は、ユーザーがオペレーションパネル８０に表示されるプレビューを直接操作して印刷するための加工条件を設定可能とするために、以下のようなユーザーの心理に基づく指定方法を確立している。
【００６３】
先ず、ステープル位置の指定について、
・ステープルボタンを押した後、閉じたい位置をクリックして、ステープル位置を指定する。
【００６４】
・ページ捲りを行い、仕上がりイメージを確認して、ステープル位置を指定する。
【００６５】
・仕上がりイメージで天地が異なる場合、裏面の天地変更を確認して、ステープル位置を指定する。
【００６６】
次に、捲り方向の指定について、
・ステープルボタンを押した後、捲り方向を指定する。
【００６７】
・捲り方向に応じてステープルの位置と天地とを画像処理装置１が設定する。
【００６８】
・仕上がりイメージを確認して、天地を変更した場合、裏面の天地を変更できる。
【００６９】
更に、ステープル位置と捲り方向との関連性について、
・ビジネス文書では、横書き文書が比較的多く用いられている。
【００７０】
・横書き文書の場合、「上」若しくは「左」にステープルを打つのが好ましい。
【００７１】
・文書が集約される場合、文書の配置順により若いページの配置位置側にステープル位置候補がある。
【００７２】
・ステープル位置によって、捲り方向が大方決まる。
【００７３】
・捲るストロークが短い捲り方向が好ましい。裏返し易い捲り方向が好ましい。
【００７４】
上述したステープル位置は、パンチの位置でも同様である。
【００７５】
ユーザーの心理には例外があるため、画像処理装置１は、ユーザーの操作性を容易とするため候補を決定し、ユーザーによる変更を可能とすることが望ましい。
【００７６】
ステープル位置と捲り方向との関連性について図１２から図１６で説明する。図１２から図１６中、１シートに４ページが集約される場合が示される。各シート１、２、３に示される番号は、スキャナ１２が読み込んだイメージ（以下、読込画像１、２、３、・・・）の順であり、例えば、ページ番号に相当する。また、ステープル位置ｓｐを太線で示し、パンチの位置ｐｈを丸（○）印で示し、捲り方向ｄを矢印で示している。
【００７７】
まず、両綴じステープルの場合のステープル位置ｓｐと捲り方向ｄとの関連性について図１２（Ａ）、図１２（Ｂ）、図１２（Ｃ）及び図１２（Ｄ）で説明する。
【００７８】
図１２（Ａ）では、縦方向の各シートにおいて左上、右上、左下、右下への順に読込画像が集約される場合を示している。図１２（Ａ）において、シート１で読込画像１及び３の側にステープル位置ｓｐを指定した場合、捲り方向ｄは読込画像２から１（読込画像４から３）への方向となると予測される。一方、シート１で読込画像２から１（読込画像４から３）への方向を捲り方向ｄとして指定した場合、ステープル位置ｓｐは読込画像１及び３の側になると予測される。
【００７９】
この場合、シート１を捲ると、シート２とシート３が見開きの状態となる。シート２は、シート１の裏面である。ステープル位置ｓｐは、シート２では読込画像６及び８の側であって、シート３では読込画像９及び１１の側となる。
【００８０】
図１２（Ｂ）では、縦方向の各シートにおいて右上、右下、左上、左下への順に読込画像が集約される場合を示している。図１２（Ｂ）において、シート１で読込画像１及び２の側にステープル位置ｓｐを指定した場合、捲り方向ｄは読込画像３から１（読込画像４から２）への方向となると予測される。一方、シート１で読込画像３から１（読込画像４から２）への方向を捲り方向ｄとして指定した場合、ステープル位置ｓｐは読込画像１及び２の側になると予測される。
【００８１】
この場合、シート１を捲ると、シート２とシート３が見開きの状態となる。シート２は、シート１の裏面である。ステープル位置ｓｐは、シート２では読込画像７及び８の側であって、シート３では読込画像９及び１０の側となる。
【００８２】
図１２（Ｃ）では、横方向の各シートにおいて左上、右上、左下、右下への順に読込画像が集約される場合を示している。図１２（Ｃ）において、シート１で読込画像１及び２の側にステープル位置ｓｐを指定した場合、捲り方向ｄは読込画像３から１（読込画像４から２）への方向となると予測される。一方、シート１で読込画像３から１（読込画像４から２）への方向を捲り方向ｄとして指定した場合、ステープル位置ｓｐは読込画像１及び２の側になると予測される。
【００８３】
この場合、シート１を捲ると、シート２とシート３が見開きの状態となる。シート２は、シート１の裏面である。ステープル位置ｓｐは、シート２では読込画像７及び８の側であって、シート３では読込画像９及び１０の側となる。
【００８４】
図１２（Ｄ）では、横方向の各シートにおいて右上、右下、左上、左下への順に読込画像が集約される場合を示している。図１２（Ｄ）において、シート１で読込画像１及び３の側にステープル位置ｓｐを指定した場合、捲り方向ｄは読込画像２から１（読込画像４から３）への方向となると予測される。一方、シート１で読込画像２から１（読込画像４から３）への方向を捲り方向ｄとして指定した場合、ステープル位置ｓｐは読込画像１及び３の側になると予測される。
【００８５】
この場合、シート１を捲ると、シート２とシート３が見開きの状態となる。シート２は、シート１の裏面である。ステープル位置ｓｐは、シート２では読込画像６及び８の側であって、シート３では読込画像９及び１１の側となる。
【００８６】
次に、端面ステープルの場合のステープル位置ｓｐと捲り方向ｄとの関連性について図１３（Ａ）、図１３（Ｂ）、図１３（Ｃ）及び図１３（Ｄ）で説明する。図１３中に示す端面ステープルは、ステープルの長手方向がシート端でシートの一方の辺に沿って打たれる。
【００８７】
図１３（Ａ）では、縦方向の各シートにおいて左上、右上、左下、右下への順に読込画像が集約される場合を示している。図１３（Ａ）において、シート１で読込画像１の左上側で一方の辺に沿うようにステープル位置ｓｐを指定した場合、捲り方向ｄは読込画像４から１への方向となると予測される。一方、シート１で読込画像４から１への方向を捲り方向ｄとして指定した場合、ステープル位置ｓｐは読込画像１の左上側になると予測される。
【００８８】
この場合、シート１を捲ると、シート２とシート３が見開きの状態となる。シート２は、シート１の裏面である。ステープル位置ｓｐは、シート２では読込画像６の右上側であって、シート３では読込画像９の左上側となる。
【００８９】
図１３（Ｂ）では、縦方向の各シートにおいて右上、右下、左上、左下への順に読込画像が集約される場合を示している。図１３（Ｂ）において、シート１で読込画像１の右上側で一方の辺に沿うようにステープル位置ｓｐを指定した場合、捲り方向ｄは読込画像４から１への方向となると予測される。一方、シート１で読込画像４から１への方向を捲り方向ｄとして指定した場合、ステープル位置ｓｐは読込画像１の右上側になると予測される。
【００９０】
この場合、シート１を捲ると、シート２とシート３が見開きの状態となる。シート２は、シート１の裏面である。ステープル位置ｓｐは、シート２では読込画像読込画像７の左上側であって、シート３では読込画像９の右上側となる。
【００９１】
図１３（Ｃ）では、横方向の各シートにおいて左上、右上、左下、右下への順に読込画像が集約される場合を示している。図１３（Ｃ）において、シート１で読込画像１の左上側で一方の辺に沿うようにステープル位置ｓｐを指定した場合、捲り方向ｄは読込画像４から１への方向となると予測される。一方、シート１で読込画像４から１への方向を捲り方向ｄとして指定した場合、ステープル位置ｓｐは読込画像１の左上側になると予測される。
【００９２】
この場合、シート１を捲ると、シート２とシート３が見開きの状態となる。シート２は、シート１の裏面である。ステープル位置ｓｐは、シート２では読込画像７の左上側であって、シート３では読込画像９の左上側となる。
【００９３】
図１３（Ｄ）では、横方向の各シートにおいて右上、右下、左上、左下への順に読込画像が集約される場合を示している。図１３（Ｄ）において、シート１で読込画像１の右上側で一方の辺に沿うようにステープル位置ｓｐを指定した場合、捲り方向ｄは読込画像４から１への方向となると予測される。一方、シート１で読込画像４から１への方向を捲り方向ｄとして指定した場合、ステープル位置ｓｐは読込画像１の右上側になると予測される。
【００９４】
この場合、シート１を捲ると、シート２とシート３が見開きの状態となる。シート２は、シート１の裏面である。ステープル位置ｓｐは、シート２では読込画像読込画像６の右下側であって、シート３では読込画像９の右上側となる。
【００９５】
端面ステープルの場合のステープル位置ｓｐと捲り方向ｄとの関連性について図１４（Ａ）、図１４（Ｂ）、図１４（Ｃ）及び図１４（Ｄ）で説明する。図１４中に示す端面ステープルは、ステープルの長手方向がシート端に対抗するように打たれる。
【００９６】
図１４（Ａ）では、縦方向の各シートにおいて左上、右上、左下、右下への順に読込画像が集約される場合を示している。図１４（Ａ）において、シート１で読込画像１の左上側でシート端に対抗するようにステープル位置ｓｐを指定した場合、捲り方向ｄは読込画像４から１への方向となると予測される。一方、シート１で読込画像４から１への方向を捲り方向ｄとして指定した場合、ステープル位置ｓｐは読込画像１の左上側になると予測される。
【００９７】
この場合、シート１を捲ると、シート２とシート３が見開きの状態となる。シート２は、シート１の裏面である。ステープル位置ｓｐは、シート２では読込画像６の右上側であって、シート３では読込画像９の左上側となる。
【００９８】
図１４（Ｂ）では、縦方向の各シートにおいて右上、右下、左上、左下への順に読込画像が集約される場合を示している。図１４（Ｂ）において、シート１で読込画像１の右上側でシート端に対抗するようにステープル位置ｓｐを指定した場合、捲り方向ｄは読込画像４から１への方向となると予測される。一方、シート１で読込画像４から１への方向を捲り方向ｄとして指定した場合、ステープル位置ｓｐは読込画像１の右上側になると予測される。
【００９９】
この場合、シート１を捲ると、シート２とシート３が見開きの状態となる。シート２は、シート１の裏面である。ステープル位置ｓｐは、シート２では読込画像読込画像７の左上側であって、シート３では読込画像９の右上側となる。
【０１００】
図１４（Ｃ）では、横方向の各シートにおいて左上、右上、左下、右下への順に読込画像が集約される場合を示している。図１４（Ｃ）において、シート１で読込画像１の左上側でシート端に対抗するようにステープル位置ｓｐを指定した場合、捲り方向ｄは読込画像４から１への方向となると予測される。一方、シート１で読込画像４から１への方向を捲り方向ｄとして指定した場合、ステープル位置ｓｐは読込画像１の左上側になると予測される。
【０１０１】
この場合、シート１を捲ると、シート２とシート３が見開きの状態となる。シート２は、シート１の裏面である。ステープル位置ｓｐは、シート２では読込画像６の右上側であって、シート３では読込画像９の左上側となる。
【０１０２】
図１４（Ｄ）では、横方向の各シートにおいて右上、右下、左上、左下への順に読込画像が集約される場合を示している。図１４（Ｄ）において、シート１で読込画像１の右上側でシート端に対抗するようにステープル位置ｓｐを指定した場合、捲り方向ｄは読込画像４から１への方向となると予測される。一方、シート１で読込画像４から１への方向を捲り方向ｄとして指定した場合、ステープル位置ｓｐは読込画像１の右上側になると予測される。
【０１０３】
この場合、シート１を捲ると、シート２とシート３が見開きの状態となる。シート２は、シート１の裏面である。ステープル位置ｓｐは、シート２では読込画像読込画像６の左上側であって、シート３では読込画像９の右上側となる。
【０１０４】
そして、パンチの場合のパンチの位置ｐｈと捲り方向ｄとの関連性について図１５（Ａ）、図１５（Ｂ）、図１５（Ｃ）及び図１５（Ｄ）で説明する。
【０１０５】
図１５（Ａ）では、縦方向の各シートにおいて左上、右上、左下、右下への順に読込画像が集約される場合を示している。図１５（Ａ）において、シート１で読込画像１及び３の側にパンチの位置ｐｈを指定した場合、捲り方向ｄは読込画像２から１（読込画像４から３）への方向となると予測される。一方、シート１で読込画像２から１（読込画像４から３）への方向を捲り方向ｄとして指定した場合、パンチの位置ｐｈは読込画像１及び３の側になると予測される。
【０１０６】
この場合、シート１を捲ると、シート２とシート３が見開きの状態となる。シート２は、シート１の裏面である。パンチの位置ｐｈは、シート２では読込画像６及び８の側であって、シート３では読込画像９及び１１の側となる。
【０１０７】
図１５（Ｂ）では、縦方向の各シートにおいて右上、右下、左上、左下への順に読込画像が集約される場合を示している。図１５（Ｂ）において、シート１で読込画像１及び３の側にパンチの位置ｐｈを指定した場合、捲り方向ｄは読込画像２から１（読込画像４から３）への方向となると予測される。一方、シート１で読込画像２から１（読込画像４から３）への方向を捲り方向ｄとして指定した場合、パンチの位置ｐｈは読込画像１及び３の側になると予測される。
【０１０８】
この場合、シート１を捲ると、シート２とシート３が見開きの状態となる。シート２は、シート１の裏面である。パンチの位置は、シート２では読込画像６及び８の側であって、シート３では読込画像９及び１１の側となる。
【０１０９】
図１５（Ｃ）では、横方向の各シートにおいて左上、右上、左下、右下への順に読込画像が集約される場合を示している。図１５（Ｃ）において、シート１で読込画像１及び２の側にパンチの位置ｐｈを指定した場合、捲り方向ｄは読込画像３から１（読込画像４から２）への方向となると予測される。一方、シート１で読込画像３から１（読込画像４から２）への方向を捲り方向ｄとして指定した場合、パンチの位置ｐｈは読込画像１及び２の側になると予測される。
【０１１０】
この場合、シート１を捲ると、シート２とシート３が見開きの状態となる。シート２は、シート１の裏面である。パンチの位置ｐｈは、シート２では読込画像７及び８の側であって、シート３では読込画像９及び１０の側となる。
【０１１１】
図１５（Ｄ）では、縦方向の各シートにおいて右上、右下、左上、左下への順に読込画像が集約される場合を示している。図１５（Ｄ）において、シート１で読込画像１及び２の側にパンチの位置ｐｈを指定した場合、捲り方向ｄは読込画像３から１（読込画像４から２）への方向となると予測される。一方、シート１で読込画像３から１（読込画像４から２）への方向を捲り方向ｄとして指定した場合、パンチの位置ｐｈは読込画像１及び２の側になると予測される。
【０１１２】
この場合、シート１を捲ると、シート２とシート３が見開きの状態となる。シート２は、シート１の裏面である。パンチの位置ｐｈは、シート２では読込画像７及び８の側であって、シート３では読込画像９及び１０の側となる。
【０１１３】
上述したような綴じ方及び捲り方向ｄに基づいて、画像処理装置１は、図１６に示すようなテーブルをＨＤＤ６８に保持している。図１６は、綴じ方と捲り方向ｄとを対応付けしたテーブル例を示す図である。
【０１１４】
図１６に示すテーブル９２では、２箇所ステープルと、１箇所ステープル、パンチの綴じ方毎に、位置、表面に対する裏面の向きの項目があり、左捲り、右捲り、上捲りの捲り方向毎に横書き、縦書きの項目がり、綴じ方と捲り方向との組み合わせでステープル又はパンチの位置が定義されている。
【０１１５】
各綴じ方の位置については、左端、右端、又は上端が示される。裏面の向きについては、方面に対して同じ又は天地逆が示される。
【０１１６】
ユーザーの操作パターンとして以下の動作が考えられる。
【０１１７】
パターン１：スキャンして蓄積した後、加工する
パターン２：加工条件を設定してスキャンしてプレビューを表示し、印刷する（同時に、蓄積する）
パターン３：加工条件を設定してスキャンしてプレビューを表示し、再度加工して印刷する（同時に、蓄積する）
このようなパターン１から３を可能とする処理全体の概要にいて図１７で説明する。
【０１１８】
図１７は、処理全体の概要を説明するためのフローチャートである。図１７において、画像処理装置１は、ユーザーの操作によって加工条件を予め指定するのか否かを判断する（ステップＳ１１）。加工条件を予め指定しない場合、ステップＳ１３へと進む。一方、加工条件を予め指定する場合、ユーザーに加工条件を指定させる（ステップＳ１２）。
【０１１９】
画像処理装置１は、スキャナ１２によって原稿を読み取って（ステップＳ１３）、画像合成する（ステップＳ１４）。画像合成は、指定された加工条件に応じて、１ライン毎又は１ページ毎に順次加工するなど、自動的に処理が切り換えられる。画像の読み取りから表示までの動作については後述される。
【０１２０】
オペレーションパネル８０にプレビューを表示すると（ステップＳ１５）、ユーザーから印刷の指示があったか否かを判断する（ステップＳ１６）。印刷の指示があった場合、画像処理装置１は、プロッタ１１によって印刷を行う（ステップＳ１６−２）。
【０１２１】
一方、ステップＳ１６において、印刷の指示がなかったと判断した場合、加工の指示があったか否かを判断する（ステップＳ１７）。加工の指示があった場合、ステップＳ１６へ戻り、上記同様の処理を繰り返す。一方、ステップＳ１７において、加工の指示があったと判断した場合、ユーザーに加工条件を指定させ（ステップＳ１８）、ステップＳ１４へ戻り、上記同様の処理を繰り返す。
【０１２２】
次に、ステープル位置を指定するための画面フローについて図１８から図３０で説明する。
【０１２３】
図１８は、原稿を読み込み後のプレビュー表示の例を示す図である。図１８において、液晶パネル８に表示される画面Ｇ１００は、メッセージ領域１００ａと、ステープル位置を指定するためのステープルボタン１００ｂと、両面を指定するための両面ボタン１００ｃと、集約を指定するための集約ボタン１００ｄと、原稿のプレビュー表示を回転するための回転ボタン１７０と、ページ捲りによって原稿全体の状態を見るための自動ページ捲りボタン１８０と、プレビュー表示域１００ｅとを有する。
【０１２４】
原稿を読み込み後のプレビュー表示の場合、プレビュー表示域１００ｅには、最初の原稿画像ＩＭＧ１がシート画像ＳＨＴ１の上に表示され、メッセージ領域１００ａには、「設定したいモードを選択してください。」などのユーザーに操作を促すメッセージが表示される。ユーザーがステープルボタン１００ｂを選択して、ステープル位置の指定を行う。
【０１２５】
自動ページ捲りボタン１８０に加えて、スクロールバーをプレビュー表示域１００ｅの右側に備えるようにして、ユーザーがスクロールバーを上下又は左右に自由にページ捲り操作ができるようにしてもよい。
【０１２６】
以下に説明される画面例では、説明に必要なボタンは示されるが、他のいくつかのボタンは図示及び説明が省略される。
【０１２７】
図１８に示す画面Ｇ１００にて、ユーザーが回転ボタン１７０を選択した場合について図１９で説明する。図１９は、回転を指定した場合のプレビュー表示の例を示す図である。図１９において、ユーザーによる回転ボタン１７０の選択によって、回転方法選択１７２が表示される。回転方法選択１７２は、天地変更ボタン１７２ａと、右回転ボタン１７２ｂと、左回転ボタン１７２ｃと、角度指定領域１７２ｄと、回転させた角度を決定するためのＯＫボタン１７２ｆとを有する。
【０１２８】
ユーザーは、天地変更ボタン１７２ａの操作でＳＨＴ１の天地を逆にすることができ、右回転ボタン１７２ｂの操作で９０°毎に右回りでＳＨＴ１を回転させることができ、左回転ボタン１７２ｂの操作で９０°毎に左回りでＳＨＴ１を回転させることができ、角度指定領域１７２ｄの上下ボタンの操作で９０°、１８０°、２７０°、３６０°（又は０°）のいずれかを指定してＳＨＴ１を回転させることができる。ユーザーは、回転させる角度が決まったらＯＫボタン１７２ｆを選択し、他の操作を続けて行ってもよい。
【０１２９】
図１８に示す画面Ｇ１００にて、ユーザーが自動ページ捲りボタン１８０を選択した場合について図２０で説明する。図２０（Ａ）は、自動ページ捲りを指定した場合のプレビュー表示の例を示す図である。図２０（Ａ）において、ユーザーによる自動ページ捲りボタン１８０の選択によって、捲り速度選択１８２が表示される。捲り速度選択１８２は、やいボタン１８２ａと、ふつうボタン１８２ｂと、ゆっくりボタン１８２ｃと、捲り速度指定領域１８２ｄと、指定した捲り速度でページ捲りを開始するためのスタートボタン１８２ｆとを有する。
【０１３０】
ユーザーは、はやいボタン１８２ａの操作で速めの速度を選択することができ、ふつうボタン１８２ｂの操作で標準の速度を選択することができ、ボタン１８２ｃの操作で遅めの速度を選択することができる。ユーザーは、捲り速度を指定したらスタートボタン１８２ｆを選択して、自動ページ捲りを開始する。ユーザーによって指定された捲り速度で、スキャナ１２が読み取った原稿のページ順にプレビュー表示域１００ｅに連続的に表示される。
【０１３１】
スタートボタン１８２ｆを選択に応じて、図２０（Ｂ）に示すようにメッセージ領域１００ａには「画面に触れると止まります。スタートを押下すると再開します。」等のメッセージが表示され、ユーザーは任意のページで画面Ｇ１００のプレビュー表示域１００ｅに触れることによって自動ページ捲りを一時停止させることができる。再開する場合には、再度スタートボタン１８２ｆを選択すればよい。
【０１３２】
図２１は、ステープル位置の指定に係る画面フローを示す図である。図２１に示す画面Ｇ１０１では、ステープルボタン１００ｂが選択された状態を示し、シート画像ＳＨＴ１上に複数のステープルマークＳＴＰＬ１、ＳＴＰＬ２、ＳＴＰＬ３、ＳＴＰＬ４、ＳＴＰＬ５、及びＳＴＰＬ６が示される。
【０１３３】
画面Ｇ１０１のメッセージ領域１００ａに表示される「ステープルしたい位置を、ステープルマークより選択してください。」に促されて、例えば、ユーザーがシート画像ＳＨＴ１上でステープルマークＳＴＰＬ３を選択する。ステープルマークＳＴＰＬ３は、強調されてステープルマークＳＴＰＬ３１として画面Ｇ１０２に表示される。
【０１３４】
画面Ｇ１０２のメッセージ領域１００ａに表示される「よければ確定キーを押してください。」に促されて、ユーザーがシート画像ＳＨＴ１上で、ユーザーがステープル位置を確定するための確定ボタン１００ｆを選択すると、画面Ｇ１０３が表示される。
【０１３５】
画面Ｇ１０３では、シート画像ＳＨＴ１上にはステープルマークＳＴＰＬ３１のみが示され、メッセージ領域１００ａに「設定したいモードを選択してください。」と表示される。ユーザーは、続けて、両面、集約などの他の設定を行うことができる。例えば、ユーザーが、画面Ｇ１０３にて、集約ボタン１００ｄを選択すると、図２２に示すような集約の指定に係る画面フローが開始される。
【０１３６】
図２２は、集約の指定に係る画面フローを示す図である。図２２に示す画面Ｇ１１１では、メッセージ領域１００ａに「何枚の原稿を１枚の用紙に入れるか選んでください。」と表示され、また、集約候補１１０が表示される。
【０１３７】
集約候補１１０は、２枚の原稿を１枚の用紙に集約するボタン１１０ａと、４枚の原稿を１枚の用紙に集約するボタン１１０ｂと、９枚の原稿を１枚の用紙に集約するボタン１１０ｃとを有する。
【０１３８】
例えば、ユーザーがボタン１１０ｂを選択すると、画面Ｇ１１２が表示される。画面Ｇ１１２には、メッセージ領域１００ａに「並びが正しければ確定キーを押してください。並び順を変えたい場合には、配置ボタンから好みの並びを押してください。」が表示され、画面Ｇ１１１の集約候補１１０の代わりに、原稿配置候補１１４が表示される。
【０１３９】
原稿配置候補１１４は、４つの原稿画像を左上、右上、左下、右下の配置順とするためのボタン１１４ａと、４つの原稿画像を左上、左下、右上、右下の配置順とするためのボタン１１４ｂと、４つの原稿画像を右上、左上、右下、左下の順で配置順とするためのボタン１１４ｃと、４つの原稿画像を右上、右下、左上、左下の順で配置順とするためのボタン１１４ｄとを有する。
【０１４０】
画面Ｇ１１２が表示される際には、ボタン１１４ａに示される配置順で表示されている。シートＳＨＴ１上に、ユーザーが選択したステープルマークＳＴＰＬ３１と、最初の原稿画像ＩＭＧ１と、２番目の原稿画像ＩＭＧ２と、３番目の原稿画像ＩＭＧ３と、４番目の原稿画像ＩＭＧ４とがプレビュー表示される。
【０１４１】
ユーザーは、ボタン１１４ａに示される配置順でよければ、配置順を確定するための確定ボタン１１０ｆを選択する。ユーザーは、ボタン１１４ｂ、１１４ｃ、１１４ｄの一つを選択して配置順を変更することができる。
【０１４２】
ユーザーが確定ボタン１１０ｆを選択すると、画面Ｇ１１３が表示される。画面Ｇ１１３では、メッセージ領域１００ａに「設定したモードを選択してください。」が表示される。ユーザーが両面ボタン１００ｃを選択すると、図２３に示すような画面Ｇ１２０が表示される。
【０１４３】
図２３は、両面が指定された場合のプレビュー表示の画面例を示す図である。図２３において、画面Ｇ１２０では、メッセージ領域１００ａに「めくる方向に画面をドラッグすると、めくったイメージを確認できます。よければ確定キーを押してください。」と表示され、また、両面プレビュー選択１２１が表示される。
【０１４４】
両面プレビュー選択１２１は、展開図をプレビューするためのボタン１２１ａと、裏返した状態をプレビューするためのボタン１２１ｂと、天地を変更するためのボタン１２１ｃとを有する。
【０１４５】
ユーザーが確認ボタン１２０ｆを選択すると、プレビューされた状態が印刷するための加工条件として確定する。一方、ユーザーが捲り方向をシートＳＨＴ１上で示す場合について図２４（Ａ）、図２４（Ｂ）及び図２４（Ｃ）で説明する。
【０１４６】
図２４（Ａ）は、ステープル位置に向かう捲り方向が指定された場合を示す図である。図２４（Ａ）において、ユーザーは、シートＳＨＴ１上で右下から左上へとステープルマークＳＴＰＬ３１に向かう方向ａ１でドラッグすると、シートＳＨＴ１が捲れていく状態が図２５のように示される。
【０１４７】
一方、図２４（Ｂ）に示されるように、ユーザーがシートＳＨＴ１上で左下から右上へと向かう方向ａ２でドラッグすると、図２４（Ｃ）に示されるような警告画面１２３ａが表示される。
【０１４８】
図２４（Ｃ）において、警告画面１２３ａは、「警告！  指定された方向へは捲れません」のようなメッセージを表示し、ユーザーは、確認ボタン１２３ｆを選択して、再度捲る方向を指定する。
【０１４９】
シートＳＨＴ１が捲れた状態を動画で示す画面例について図２５で説明する。図２５は、動画で捲っていく画面例を示す図である。図２５において、画面Ｇ１２１は、シートＳＨＴ１が右下端から捲れていく様子を示す動画である。そして、シートＳＨＴ１が捲れて、画面Ｇ１２２は、シートＳＨＴ１の裏面（２ページ目）と、シートＳＨＴ２の表面（３ページ目）とを示す動画である。更に、画面Ｇ１２３は、シートＳＨＴ１がほぼ捲られて裏面（２ページ目）が示された様子を示す動画である。
【０１５０】
その後、図２６に示す画面Ｇ１２４のような、シートＳＨＴ１が完全に捲れて、シートＳＨＴ１の裏面（２ページ目）の仕上がり状態が表示される。
【０１５１】
ユーザーが、図２７に示すように、画面Ｇ１２４にて捲り方向と逆の右上から左下への方向ａ３へドラッグすると、図２５に示す画面Ｇ１２３、画面Ｇ１２２、画面Ｇ１２１、そして図２４に示す画面Ｇ１２０の順にシートＳＨＴ１の表面（１ページ目）へと捲れる様子が動画で示される。
【０１５２】
また、ユーザーが、画面Ｇ１２４にて裏返すためのボタン１２１ｂを選択すると、図２８に示すような画面Ｇ１２５が表示される。画面Ｇ１２５では、２枚目のシートＳＨＴ２の表面（３ページ目）の仕上がりがプレビューされる。シートＳＨＴ２の表面（３ページ目）には、９番目、１０番目、１１番目、そして１２番目に読み込んだ原稿画像が表示される。
【０１５３】
ユーザーが、画面Ｇ１２５で展開図を表示するためにボタン１２１ａを選択すると、図２９に示すような画面フローが行われる。
【０１５４】
図２９は、展開図に係る画面フローを示す図である。図２９において、画面Ｇ１２６は、シートＳＨＴ１とシートＳＨＴ２とがステープルマークＳＴＰＬ３１で展開された様子をプレビュー表示している。画面Ｇ１２６では、メッセージ領域１００ａに「見たいページをクリックすると、指定されたページのイメージが表示されます。よければ確定キーを押してください。」と表示される。
【０１５５】
例えば、ユーザーが、ポイント９ｐでクリックすると、画面Ｇ１２７に示すように、シートＳＨＴ１の裏面（２ページ目）のみが拡大してプレビュー表示される。
【０１５６】
画面Ｇ１２７にて、ユーザーが天地を変更するためにボタン１２１ｃをクリックすると、図３０に示すように、シートＳＨＴ１の裏面の天地を逆にしてプレビュー表示される。図３０に示す画面Ｇ１２８は、シートＳＨＴ１の裏面の天地が逆になった状態をプレビュー表示している。
【０１５７】
次に、捲り方向を指定するための画面フローについて図３１から図３８で説明する。ユーザーが両面及び集約を選択後、ステープルを選択したとして、以下、捲り方向を指定するための画面フローを説明する。
【０１５８】
図３１は、捲り方向の指定によってステープル位置を決める場合のプレビュー表示の画面例を示す図である。図３１において、ユーザーが両面及び集約を選択後、更にステープルのためのボタン１００ｂを選択すると、画面Ｇ２０１が表示される。画面Ｇ２０１では、メッセージ表示域１００ａに「画面をドラッグしてめくり方向を指定してください。」のようなメッセージが表示される。
【０１５９】
ユーザーが、シートＳＨＴ１上で、下から上への方向ａ５をドラッグすると、画面Ｇ２０２が表示される。画面Ｇ２０２では、シートＳＨＴ１の上辺に沿ってステープルマークＳＴＰＬ２１とＳＴＰＬ２２とが表示される。また、メッセージ表示域１００ａに「よければ確定キーを押してください。」のようなメッセージが表示される。
【０１６０】
ユーザーが確認ボタン２２０ｆを選択すると、プレビューされた状態が印刷するための加工条件として確定する。一方、ユーザーが捲り方向をシートＳＨＴ１上で示す場合について図３２（Ａ）、図３２（Ｂ）及び図３２（Ｃ）で説明する。
【０１６１】
図３２（Ａ）は、ステープル位置に向かう捲り方向が指定された場合を示す図である。図３２（Ａ）において、ユーザーは、シートＳＨＴ１上で下から上へとステープルマークＳＴＰＬ２１及びＳＴＰＬ２２に向かう方向ａ７でドラッグすると、シートＳＨＴ１が捲れていく状態が図３３のように示される。
【０１６２】
一方、図３２（Ｂ）に示されるように、ユーザーがシートＳＨＴ１上で左下から右上へと向かう方向ａ８でドラッグすると、図３２（Ｃ）に示されるような警告画面２２３ａが表示される。
【０１６３】
図３２（Ｃ）において、警告画面２２３ａは、「警告！  指定された方向へは捲れません」のようなメッセージを表示し、ユーザーは、確認ボタン２２３ｆを選択して、再度捲る方向を指定する。
【０１６４】
シートＳＨＴ１が捲れた状態を動画で示す画面例について図３３で説明する。図３３は、動画で捲っていく画面例を示す図である。図３３において、画面Ｇ２２１は、シートＳＨＴ１が下辺から捲れていく様子を示す動画である。そして、シートＳＨＴ１が捲れて、画面Ｇ２２２は、シートＳＨＴ１の裏面（２ページ目）と、シートＳＨＴ２の表面（３ページ目）とを示す動画である。更に、画面Ｇ２２３は、シートＳＨＴ１がほぼ捲られて裏面（２ページ目）が示された様子を示す動画である。
【０１６５】
その後、図３４に示す画面Ｇ２２４のような、シートＳＨＴ１が完全に捲れて、シートＳＨＴ１の裏面（２ページ目）の仕上がり状態が表示される。
【０１６６】
ユーザーが、図３５に示すように、ステープルマークＳＴＰＬ２１及びＳＴＰＬ２２から離れる方向ａ９へドラッグすると、図３４に示すように、画面Ｇ２２３、画面Ｇ２２２、画面Ｇ２２１、そして図３１に示す画面Ｇ２０２の順にシートＳＨＴ１の表面（１ページ目）へと捲れる様子が動画で示される。
【０１６７】
また、ユーザーが、画面Ｇ２２４にて裏返すためのボタン１２１ｂを選択すると、図３６に示すような画面Ｇ２２５が表示される。画面Ｇ２２５では、２枚目のシートＳＨＴ２の表面（３ページ目）の仕上がりがプレビューされる。シートＳＨＴ２の表面（３ページ目）には、９番目、１０番目、１１番目、そして１２番目に読み込んだ原稿画像が表示される。
【０１６８】
ユーザーが、画面Ｇ２２５で展開図を表示するためにボタン１２１ａを選択すると、図３７に示すような画面フローが行われる。
【０１６９】
図３７は、展開図に係る画面フローを示す図である。図３７において、画面Ｇ２２６は、シートＳＨＴ１とシートＳＨＴ２とがステープルマークＳＴＰＬ２１及びＳＴＰＬ２２で展開された様子をプレビュー表示している。画面Ｇ２２６では、メッセージ領域１００ａに「見たいページをクリックすると、指定されたページのイメージが表示されます。よければ確定キーを押してください。」と表示される。
【０１７０】
例えば、ユーザーが、ポイント２９ｐでクリックすると、画面Ｇ２２７に示すように、シートＳＨＴ１の裏面（２ページ目）のみがプレビュー表示される。
【０１７１】
画面Ｇ２２７にて、ユーザーが天地を変更するためにボタン１２１ｃをクリックすると、図３８（Ａ）又は図３８（Ｂ）に示すように、シートＳＨＴ１の裏面の天地を逆にしてプレビュー表示される。
【０１７２】
図３８（Ａ）に示す画面Ｇ１２８ａは、シートＳＨＴ１の裏面の天地が逆になった状態をプレビュー表示している。裏面が表示されていれば、その裏面の天地を逆にする。或いは、全ての裏面の天地を逆にするようにしてもよい。同様に、表面が表示されていれば、その表面の天地を逆にする。或いは、全ての表面の天地を逆にするようにしてもよい。
【０１７３】
図３８（Ｂ）に示す画面Ｇ１２８ｂは、ステープルマークＳＴＰＬ２１及びＳＴＰＬ２２の位置のみが逆になった状態をプレビュー表示している。
【０１７４】
次に、予め加工条件を指定して、原稿を読み取る場合について図３９で説明する。図３９は、原稿を読み取る前に加工条件を指定するための画面フローを示す図である。図３９において、画面Ｇ３００は、原稿を読み取る前に加工条件を指定するための画面である。
【０１７５】
画面Ｇ３００では、メッセージ表示域１００ａに「並びが正しければ確定キーを押してください。並び順を変えたい場合には、配置ボタンから好みの並びを押してください。」のようなメッセージが表示される。
【０１７６】
ユーザーは、原稿配置候補１１４から所望の配置順を選択する。画面Ｇ３００には、配置順が、シートＳＨＴ１上に番号１，２、３、４で示される。そして、ユーザーが配置順を確定するために確定ボタン３００ｆを選択すると、画像処理装置１は、原稿の読取を開始して１番目の原稿を読み取ると、画面Ｇ３０１に示されるように、シートＳＨＴ１上の番号１の配置に原稿画像ＩＭＧ１がプレビュー表示される。
【０１７７】
２番目の原稿を読み取ると、画面Ｇ３０２に示されるように、シートＳＨＴ１上の番号２の配置に原稿画像ＩＭＧ２がプレビュー表示される。３番目の原稿を読み取ると、画面Ｇ３０３に示されるように、シートＳＨＴ１上の番号３の配置に原稿画像ＩＭＧ３がプレビュー表示される。４番目の原稿を読み取ると、画面Ｇ３０４に示されるように、シートＳＨＴ１上の番号４の配置に原稿画像ＩＭＧ４がプレビュー表示される。
【０１７８】
ユーザーが指定したステープル位置に原稿画像がある場合に、ステープル位置を調整する方法について図４０で説明する。図４０は、ステープル位置を調整するための画面フローを示す図である。
【０１７９】
図４０に示す画面Ｇ４０１のように、ステープルマークＳＴＰＬ２１及びＳＴＰＬ２２が原稿画像ＩＭＧ１及び／又はＩＭＧ２に被る（重なる）ように指定された場合、「警告！  指定されたステープル位置に画像があります。」などのメッセージを示す警告画面４２０が液晶パネル９０に表示される。
【０１８０】
警告画面４２０は、ステープルの位置をずらすためのボタン４２０ｅと、原稿画像をずらすためのボタン４２０ｆと、原稿画像を縮小するためのボタン４２０ｇと、調整しないで現在のステープル位置とするためのボタン４２０ｈとを有する。
【０１８１】
ユーザーは、ステープルマークＳＴＰＬ２１及びＳＴＰＬ２２の位置を微調整する場合にはボタン４２０ｅから４２０ｇの１つを選択し、微調整しない場合にはボタン４２０ｈを選択する。
【０１８２】
ユーザーがボタン４２０ｅを選択すると、図４１に示されるような画面Ｇ４０２が表示される。図４１は、ステープル位置を移動する場合の画面例を示す図である。図４１に示す画面Ｇ４０２では、メッセージ領域１００ａに「ステープル位置を調整できます。」と表示されると共に、ステープル位置調整４１０が表示される。
【０１８３】
ステープル位置調整４１０は、ステープル位置を上下方向に調整するための縦調整４１０ａと、ステープル位置を左右方向に調整するための横調整４１０ｂとを有する。
【０１８４】
ユーザーによる縦調整４１０ａと横調整４１０ｂとの操作に応じて、ステープルマークＳＴＰＬ２１及びＳＴＰＬ２２が上下左右に移動する。ユーザーは、ステープルマークＳＴＰＬ２１及びＳＴＰＬ２２の位置を決定したら、確定ボタン２２０ｆを選択する。
【０１８５】
画像処理装置１は、確定ボタン２２０ｆの選択によって、再度ステープル位置が原稿画像ＩＭＧ１及び／又はＩＭＧ２に被って（重なって）いるか否かを判断し、ステープルマークＳＴＰＬ２１及びＳＴＰＬ２２が原稿画像ＩＭＧ１及びＩＭＧ２に被るようであったら、警告画面４２０を表示する。
【０１８６】
プレビュー表示域１００ｅでは、シートＳＨＴ１上に調整前のステープル位置が点線で示されるマークＣ２１及びＣ２２によって表示されるため、ユーザーは調整の程度を確認しながら縦調整４１０ａと横調整４１０ｂとを操作することができる。
【０１８７】
ユーザーがボタン４２０ｆを選択すると、図４２に示されるような画面Ｇ４０３が表示される。図４２は、原稿画像をシフトする場合の画面例を示す図である。図４２に示す画面Ｇ４０３では、メッセージ領域１００ａに「画像をシフトさせます。数値を入力してください。」と表示されると共に、原稿画像位置調整４２０が表示される。
【０１８８】
原稿画像位置調整４２０は、原稿画像を上下方向に調整するための縦調整４２０ａと、原稿画像を左右方向に調整するための横調整４２０ｂとを有する。
【０１８９】
ユーザーによる縦調整４２０ａと横調整４２０ｂとの操作に応じて、原稿画像ＩＭＧ１からＩＭＧ４が上下左右にシフトする。ユーザーは、原稿画像ＩＭＧ１からＩＭＧ４の位置を決定したら、確定ボタン２２０ｆを選択する。
【０１９０】
画像処理装置１は、確定ボタン２２０ｆの選択によって、再度ステープル位置が原稿画像ＩＭＧ１及び／又はＩＭＧ２に被って（重なって）いるか否かを判断し、ステープルマークＳＴＰＬ２１及びＳＴＰＬ２２が原稿画像ＩＭＧ１及びＩＭＧ２に被るようであったら、警告画面４２０を表示する。
【０１９１】
プレビュー表示域１００ｅでは、シートＳＨＴ１上に原稿画像ＩＭＧ１からＩＭＧ４の調整前の位置が点線で示されるマークＤ１、Ｄ２、Ｄ３及びＤ４によって表示されるため、ユーザーは調整の程度を確認しながら縦調整４２０ａと横調整４２０ｂとを操作することができる。
【０１９２】
ユーザーがボタン４２０ｇを選択すると、図４３に示されるような画面Ｇ４０４が表示される。図４３は、原稿画像を縮小する場合の画面例を示す図である。図４３に示す画面Ｇ４０４では、メッセージ領域１００ａに「画像を縮小させます。」と表示されると共に、縮小調整４３０が表示される。
【０１９３】
縮小調整４３０は、原稿画像の倍率を調整するための倍率調整４３０ａを有する。
【０１９４】
ユーザーによる倍率調整４３０ａの操作に応じて、原稿画像ＩＭＧ１からＩＭＧ４が縮小される。ユーザーは、原稿画像ＩＭＧ１からＩＭＧ４の倍率を決定したら、確定ボタン２２０ｆを選択する。
【０１９５】
画像処理装置１は、確定ボタン２２０ｆの選択によって、再度ステープル位置が原稿画像ＩＭＧ１及び／又はＩＭＧ２に被って（重なって）いるか否かを判断し、ステープルマークＳＴＰＬ２１及びＳＴＰＬ２２が原稿画像ＩＭＧ１及びＩＭＧ２に被るようであったら、警告画面４２０を表示する。
【０１９６】
プレビュー表示域１００ｅでは、シートＳＨＴ１上に原稿画像ＩＭＧ１からＩＭＧ４が点線で示されるマークＤ１、Ｄ２、Ｄ３及びＤ４によって調整前の倍率で表示されるため、ユーザーは調整の程度を確認しながら倍率調整４３０ａを操作することができる。
【０１９７】
ユーザーは、プレビュー表示１００ｅを見て確認しながらステープル位置の調整、原稿画像のシフト、原稿画像の縮小のいずれか、又は、それらを組み合わせて原稿画像にステープルが重ならないように仕上げ処理を指定することができる。仕上げ処理とは、印刷された原稿画像に対して施される処理であり、ステープルを打つ、パンチする等である。
【０１９８】
図４１、図４２及び図４３で説明したような留め位置を調整する単位を、１文書全体に対して一括して調整、ユーザーが指定したページのみ調整、見開きの単位で調整などのユーザーによる選択を可能としてもよい。
【０１９９】
画像処理装置１によるステープル位置に原稿画像があるか否かの判断は、ユーザーがパンチを指定した場合においても同様に行われる。
【０２００】
次に、ステープル又はパンチの位置を調整するための留め位置被りチェック処理について図４４で説明する。図４４は、留め位置被りチェック処理を説明するためのフローチャート図である。
【０２０１】
図４４において、ユーザーが留め位置を指定すると（ステップＳ３１）、画像処理装置１は、留め位置に画像がないかを検索する（ステップＳ３２）。この場合、折りしろなどのマージンを考慮するようにしてもよい。
【０２０２】
そして、検索結果に基づいて、画像処理装置１は、留め位置と画像が被っているか否かを判断する（ステップＳ３３）。留め位置と画像が被っていない場合、画像処理装置１は、留め位置被りチェック処理を終了する。
【０２０３】
一方、ステップＳ３３にて留め位置と画像が被っていると判断した場合、画像処理装置１は、警告表示を行う（ステップＳ３４）。画像処理装置１は、ユーザーが留め位置を調整するか否かを判断する（ステップＳ３５）。調整しない場合、画像処理装置１は、留め位置被りチェック処理を終了する。
【０２０４】
一方、ステップＳ３５にてユーザーが留め位置を調整する場合、位置を微調整するボタンを液晶パネル９０に表示して（ステップＳ３６）、ステップＳ３１へ戻り、上記同様の処理を繰り返す。
【０２０５】
この留め位置被りチェック処理は、スキャナ１２による原稿の読み取り前の加工条件の指定（図１７のステップＳ１２）であっても、スキャナ１２による原稿の読み取り後の加工条件の指定（図１７のステップＳ１８）であっても、ステープル位置又はパンチ位置の指定が含まれている場合、プレビュー表示する前に実行される。
【０２０６】
以下に、加工条件に応じた画像処理装置１の内部動作のタイミングチャートについて図４５から図６２で説明する。図１７のステップＳ１３、Ｓ１４及びＳ１５でのそれぞれの処理は、ユーザーの操作及びユーザーが指定した加工条件に応じて、並列処理で実現される。スキャナ１２で読み取られた原稿画像は、１ライン毎にＰＣＩメモリ７９ｂに記録され、それ以降は予め定められた1バンド分のライン数毎に処理が行われる。スキャナ１２で読み取られた原稿画像は、ＩＭＧ１、ＩＭＧ２、ＩＭＧ３、ＩＭＧ４・・・等で示すこととする。
【０２０７】
先ず、初期状態の加工条件でプレビュー表示する通常処理の場合について図４５及び図４６で説明する。図４５は、通常処理のタイミングチャートを示す図である。図４５において、スキャン１２による原稿画像ＩＭＧ１、ＩＭＧ２、ＩＭＧ３の読取信号は、ＰＣＩメモリ７９ｂに瞬時に記録される（図４５（ａ）及び図４５（ｂ））。
【０２０８】
割込処理部７９ｃは、スキャナ１２が予め定められた1バンド分のライン数を読み取る毎に割込信号を発生させる（図４５（ｃ））。ＨＤＤ６８は画像転送クロックに応じて、画像合成処理部４１ｂ及び展開メモリ６７は割込信号に応じて、１バンド毎に画像部分を取り込んでいく（図４５（ｄ）、図４５（ｅ）及び図４５（ｆ））。
【０２０９】
展開メモリ６７ａに１バンド分の画像部分が取り込まれる毎に、表示合成処理部８２ａは、次のページまでの原稿画像ＩＭＧ１からＩＭＧ２を読み込んで表示用に合成しておく（図４５（ｇ））。ＬＣＤコントローラ８５は、液晶パネル９０に表示用に合成された原稿画像ＩＭＧ１をバンドＬ１、Ｌ２、Ｌ３、Ｌ４及びＬ５の順に表示する（図４５（ｈ））。原稿画像ＩＭＧ１が合成され表示されるまでは略同時になされる。表示合成処理部８２ａが原稿画像ＩＭＧ２を合成して保持しておくことで、ページ切換と同時に次のページのプレビュー表示を迅速に行うことができる。
【０２１０】
図４６は、原稿画像をプレビュー表示する際の表示フローを示す図である。図４６に示す表示フローにおいて、図４５（ｇ）で示されるバンドＬ１、Ｌ２、Ｌ３、Ｌ４及びＬ５の順に画像部分が表示される。
【０２１１】
図１９に示す画面Ｇ１００において、ユーザーが回転方法選択１７２から回転方法を指定してＯＫボタン１７２ｆを押下し、全ページを指定した場合について図４７及び図４８で説明する。図４７は、回転方法が加工条件として指定された場合のタイミングチャートを示す図である。図４７において、スキャン１２による原稿画像ＩＭＧ１、ＩＭＧ２、ＩＭＧ３の読取信号は、ＰＣＩメモリ７９ｂに瞬時に記録される（図４７（ａ）及び図４７（ｂ））と共に、スキャナ１２が読み取った１ライン毎に発生する画像転送クロックに応じて、ＨＤＤ６８へも原稿画像ＩＭＧ１、ＩＭＧ２、ＩＭＧ３が順に格納される（図４７（ｃ））。
【０２１２】
割込処理部７９ｃは、回転方法が指定されると、ＨＤＤ６８へ各原稿画像ＩＭＧ１、ＩＭＧ２、ＩＭＧ３が格納される毎に割込信号を発生させる（図４７（ｄ））。割込信号に応じて、画像合成処理部４１ｂは、各原稿画像ＩＭＧ１、ＩＭＧ２、ＩＭＧ３を回転させつつ、展開メモリ６７ａ内に瞬時に展開する（図４７（ｅ）及び図４７（ｆ））。
【０２１３】
展開メモリ６７ａに１バンド分の原稿画像が取り込まれる毎に、表示合成処理部８２ａは、原稿画像ＩＭＧ１、ＩＭＧ２・・・を順に読み込んで表示用に合成し（図４７（ｇ））、ＬＣＤコントローラ８５は、液晶パネル９０に表示用に合成された原稿画像ＩＭＧ１、ＩＭＧ２・・・を順に表示する（図４７（ｈ））。各原稿画像ＩＭＧ１、ＩＭＧ２・・・が合成され表示されるまではほぼ同時になされる。
【０２１４】
図４８は、読み取り時の原稿画像と表示時の原稿画像の状態を示す図である。読み取り時にはＩＭＧ１は縦で読み込まれ、表示時にはＩＭＧ１は横で表示される。
【０２１５】
プレビュー表示１００ｅ上でのユーザーのドラッグによってページ捲りが指定された場合について図４９で説明する。図４９は、ユーザーのドラッグによってページ捲りが指定された場合のタイミングチャートを示す図である。図４９において、スキャン１２による原稿画像ＩＭＧ１、ＩＭＧ２、ＩＭＧ３の読取信号は、ＰＣＩメモリ７９ｂに瞬時に記録される（図４９（ａ）及び図４９（ｂ））。
【０２１６】
割込処理部７９ｃは、スキャナ１２が予め定められた1バンド分のライン数を読み取る毎に割込信号を発生させる（図４９（ｃ））。ＨＤＤ６８は画像転送クロックに応じて、画像合成処理部４１ｂ及び展開メモリ６７ａは割込信号に応じて、１バンド毎に画像部分を取り込んでいく（図４９（ｄ）、図４９（ｅ）及び図４９（ｆ））。
【０２１７】
展開メモリ６７ａに１バンド分の画像部分が取り込まれる毎に、表示合成処理部８２ａは、次のページまでの原稿画像ＩＭＧ１からＩＭＧ２を読み込んで表示用に合成しておく（図４９（ｇ））。ＬＣＤコントローラ８５は、液晶パネル９０に表示用に合成された原稿画像ＩＭＧ１をバンドＬ１、Ｌ２、Ｌ３、Ｌ４及びＬ５の順に表示する（図４９（ｈ））。原稿画像ＩＭＧ１が合成され表示されるまではほぼ同時になされる。ここまでは、通常処理のタイミングチャートと同様である。
【０２１８】
ユーザーが表示された原稿画像ＩＭＧ１に対してドラッグによって次のページへのページ捲りを指定すると、ＬＣＤコントローラ８５は、表示合成処理部８２ａによって表示用に合成された原稿画像ＩＭＧ２をバンドＬ１、Ｌ２、Ｌ３、Ｌ４及びＬ５の順に表示する（図４９（ｈ））。原稿画像ＩＭＧ２が表示されると、表示合成処理部８２ａは、次のページの原稿画像ＩＭＧ３を読み込んで表示用に合成しておく（図４９（ｇ））。
【０２１９】
ユーザーが更に次ぎのページへのページ捲りを指定すれば、表示合成処理部８２ａによって表示用に合成された原稿画像ＩＭＧ３が表示され、前のページへのページ捲りを指定すれば、表示合成処理部８２ａによって表示用に合成された原稿画像ＩＭＧ１が表示される。このような操作に対して、前後の原稿画像を効率よく表示させることができる。
【０２２０】
図１８に示す自動ページ捲りボタン１８０の押下或いは画像処理装置１の機器設定によって、読み込み順に従って順次最新の画像に切り換えて表示する自動ページ捲りの場合について図５０で説明する。図５０は、自動ページ捲りで原稿画像を順次表示する場合のタイミングチャートを示す図である。図５０において、スキャン１２による原稿画像ＩＭＧ１、ＩＭＧ２、ＩＭＧ３、ＩＭＧ４の読取信号は、ＰＣＩメモリ７９ｂに瞬時に記録される（図５０（ａ）及び図５０（ｂ））。
【０２２１】
割込処理部７９ｃは、スキャナ１２が予め定められた1バンド分のライン数を読み取る毎に割込信号を発生させる（図５０（ｃ））。ＨＤＤ６８は画像転送クロックに応じて、画像合成処理部４１ｂ及び展開メモリ６７ａは割込信号に応じて、１バンド毎に画像部分を取り込んでいく（図５０（ｄ）、図５０（ｅ）及び図５０（ｆ））。
【０２２２】
展開メモリ６７ａに１バンド分の画像部分が取り込まれる毎に、表示合成処理部８２ａは、原稿画像ＩＭＧ１を読み込んで表示用に合成し、２ページ以降の原稿画像ＩＭＧ２からＩＭＧ４に対しては、各原稿画像ＩＭＧ２からＩＭＧ４の読み取りの終了に応じて読み込んで表示用に合成する（図５０（ｇ））。ＬＣＤコントローラ８５も同様に、原稿画像ＩＭＧ１を表示し、２ページ以降の原稿画像ＩＭＧ２からＩＭＧ４に対しては、各原稿画像ＩＭＧ２からＩＭＧ４の読み取りの終了に応じて表示する。各原稿画像ＩＭＧ１からＩＭＧ４が合成され表示されるまでは略同時になされる。
【０２２３】
２ページ以降は読み取りの終了に応じて表示されることによって、２ページへのページ切り換えまでの時間が２ページ以降のページ切り換えまでの時間より長くなり、結果、１ページが他のページより長く表示される。ユーザーは、最初に表示された１ページ目を長めにチェックすることができる。
【０２２４】
次に、２ページ以上を集約して１ページでプレビュー表示させる場合について図５１から図５８で説明する。４ページ分の原稿画像を１ページに集約する４枚集約でプレビュー表示させる場合、各原稿画像は縮小され１シートに集約される。縮小又は拡大した画像から縮小したのでは品質劣化を招くため、原画像から縮小することが好ましい。従って、図１１によるデータフローで示されるように、ＨＤＤ６８の原画像が読み出される。
【０２２５】
先ず、４枚集約でプレビュー表示させる場合の第一の表示方法について図５１から図５５で説明する。図５１は、４枚集約でプレビュー表示させる場合の第一のタイミングチャートを示す図である。図５１において、スキャン１２による原稿画像ＩＭＧ１、ＩＭＧ２、ＩＭＧ３、ＩＭＧ４の読取信号は、ＰＣＩメモリ７９ｂに瞬時に記録される（図５１（ａ）及び図５１（ｂ））と共に、スキャナ１２が読み取った予め定められた1バンド分のライン数毎に発生する画像転送クロックに応じて、ＨＤＤ６８へも原稿画像ＩＭＧ１からＩＭＧ４が順に格納される（図５１（ｃ））。
【０２２６】
割込処理部７９ｃは、加工条件によって指定される縮小倍率から割込タイミングを算出する。縮小する場合、原画像のデータを間引きしてＨＤＤ６８から読み出すため、読み出し速度は、通常、ＨＤＤ６８への書き込み速度より速い。従って、割込タイミングは書き込み速度を考慮した所定アルゴリズムに従って決定される。例えば、４枚集約では各原稿画像ＩＭＧ１からＩＭＧ４が１／４に縮小されて（２５％の縮小倍率）、原画像のデータの間引きによって読み出し速度が書き込み速度より４倍速くなる場合は、原稿画像ＩＭＧ１の７５％がＨＤＤ６８へ書き込まれたタイミングが割込タイミングとなる。
【０２２７】
割込処理部７９ｃは、算出した割込タイミングで割込信号を発生させる（図５１（ｄ））。割込信号に応じて、画像合成処理部４１ｂは、各原稿画像ＩＭＧ１からＩＭＧ４を４枚集約の縮小倍率に応じた読み出し速度で読み出しつつ、展開メモリ６７ａ内に瞬時に展開する（図５１（ｅ）及び図５１（ｆ））。
【０２２８】
展開メモリ６７ａに１バンド単位の縮小原稿画像が取り込まれる毎に、表示合成処理部８２ａは、縮小原稿画像ＩＭＧ１からＩＭＧ４を順に読み込んで表示用に合成し（図５１（ｇ））、ＬＣＤコントローラ８５は、液晶パネル９０に表示用に合成された縮小原稿画像ＩＭＧ１からＩＭＧ４を１シートの領域内に順に表示する（図５１（ｈ））。各縮小原稿画像ＩＭＧ１からＩＭＧ４が合成され表示されるまでは略同時になされる。
【０２２９】
図５１（ｈ）では、１シート内で左上、右上、左下、右下の順に、縮小原稿画像ＩＭＧ１、ＩＭＧ２、ＩＭＧ３、ＩＭＧ４を表示する場合のＬＣＤコントローラ８５による表示タイミングが示されている。
【０２３０】
この表示タイミングによる画面フローについて図５２、図５３、図５４及び図５５で説明する。図５２から図５５は、第一のタイミングチャートに基づく縮小原稿画像単位で表示して４枚集約をプレビュー表示する画面フローを示す図である。図５２から図５５によって連続した画面フローが示される。図５２では、１シート内の左上に縮小原稿画像ＩＭＧ１がバンド順に表示されると、右上に縮小原稿画像ＩＭＧ２がバンド順に表示開始される。図５３では、右上に縮小原稿画像ＩＭＧ２がバンド順に表示されると、左下に縮小原稿画像ＩＭＧ３がバンド順に表示開始される。図５４では、左下に縮小原稿画像ＩＭＧ３がバンド順に表示されると、右下に縮小原稿画像ＩＭＧ４がバンド順に表示開始され、図５５で右下に縮小原稿画像ＩＭＧ４がバンド順に表示されると、４枚集約のプレビュー表示が完了する。
【０２３１】
次に、４枚集約でプレビュー表示させる場合の第二の表示方法について図５６及び図５７で説明する。第二の表示方法では、バンド毎に２つの縮小原稿画像を同時に表示させて４枚集約を行う。図５６は、４枚集約でプレビュー表示させる場合の第二のタイミングチャートを示す図である。図５６において、スキャン１２による原稿画像ＩＭＧ１、ＩＭＧ２、ＩＭＧ３、ＩＭＧ４の読取信号は、ＰＣＩメモリ７９ｂに瞬時に記録される（図５６（ａ）及び図５６（ｂ））と共に、スキャナ１２が読み取った１ライン毎に発生する画像転送クロックに応じて、ＨＤＤ６８へも原稿画像ＩＭＧ１からＩＭＧ４が順に格納される（図５６（ｃ））。
【０２３２】
割込処理部７９ｃは、加工条件によって指定される縮小倍率から割込タイミングを算出する。割込タイミングの算出方法は、第一の表示方法と同様である。
【０２３３】
割込処理部７９ｃは、算出した割込タイミングで割込信号を発生させる（図５６（ｄ））。割込信号に応じて、画像合成処理部４１ｂは、各原稿画像ＩＭＧ１からＩＭＧ４を４枚集約の縮小倍率に応じた読み出し速度で読み出しつつ、展開メモリ６７ａ内に瞬時に展開する（図５６（ｅ）及び図５６（ｆ））。
【０２３４】
展開メモリ６７ａに１バンド単位の縮小原稿画像が取り込まれる毎に、表示合成処理部８２ａは、縮小原稿画像ＩＭＧ１からＩＭＧ４を順に読み込んで表示用に合成し（図５６（ｇ））、ＬＣＤコントローラ８５は、縮小原稿画像ＩＭＧ２が合成されると縮小原稿画像ＩＭＧ１とＩＭＧ２とを１シートの所定領域内に同時に表示し、縮小原稿画像ＩＭＧ４が合成されると縮小原稿画像ＩＭＧ３とＩＭＧ４とを１シートの所定領域内に同時に表示する（図５６（ｈ））。
【０２３５】
図５６（ｈ）では、１シート内で上半分、下半分の順に、上半分では縮小原稿画像ＩＭＧ１とＩＭＧ２とを同時に表示し、下半分では縮小原稿画像ＩＭＧ３とＩＭＧ４とを同時に表示する表示タイミングが示されている。
【０２３６】
この表示タイミングによる画面フローについて図５７で説明する。図５７は、第二のタイミングチャートに基づく縮小原稿画像単位で表示して４枚集約をプレビュー表示する画面フローを示す図である。図５７では、１シート内の上半分に縮小原稿画像ＩＭＧ１とＩＭＧ２とがバンド順に同時に表示されると、下半分に縮小原稿画像ＩＭＧ３とＩＭＧ４とがバンド順に同時に表示される。
【０２３７】
更に、２ページ分の原稿画像を１ページに集約する２枚集約でプレビュー表示させる場合の第三の表示方法について図５８で説明する。第三の表示方法では、バンド毎に２つの縮小原稿画像を同時に表示させて２枚集約を行う。図５８は、２枚集約でプレビュー表示させる場合の第三のタイミングチャートを示す図である。図５８において、スキャン１２による原稿画像ＩＭＧ１、ＩＭＧ２、ＩＭＧ３、ＩＭＧ４の読取信号は、ＰＣＩメモリ７９ｂに瞬時に記録される（図５８（ａ）及び図５８（ｂ））と共に、スキャナ１２が読み取った１ライン毎に発生する画像転送クロックに応じて、ＨＤＤ６８へも原稿画像ＩＭＧ１からＩＭＧ４が順に格納される（図５８（ｃ））。
【０２３８】
割込処理部７９ｃは、加工条件によって指定される縮小倍率から割込タイミングを算出する。割込タイミングの算出方法は、第一の表示方法と同様である。この場合、５０％の縮小倍率となり、読み出し速度が書き込み速度の２倍速くなる。原稿画像ＩＭＧ１の５０％がＨＤＤ６８へ書き込まれたタイミングが割込みタイミングとなる。
【０２３９】
展開メモリ６７ａに１バンド単位の縮小原稿画像が取り込まれる毎に、表示合成処理部８２ａは、縮小原稿画像ＩＭＧ１からＩＭＧ４を順に読み込んで表示用に合成し（図５８（ｇ））、ＬＣＤコントローラ８５は、縮小原稿画像ＩＭＧ２が合成されると縮小原稿画像ＩＭＧ１とＩＭＧ２とを１シートの領域内に同時に表示する（図５８（ｈ））。
【０２４０】
図５８（ｇ）では、表示合成処理部８２ａが原稿画像ＩＭＧ３とＩＭＧ４とを合成して保持しておくことで、ページ切換と同時に２枚集約された次のページのプレビュー表示を迅速に行うことができる。
【０２４１】
ユーザーによるステープルボタン１００ｂ（図１８等を参照）の選択によって原画像にはないステープルマークを付加してプレビュー表示を行う場合について図５９から図６２で説明する。原稿画像ＩＭＧ１のプレビュー表示にてユーザーがステープルボタン１００ｂを選択すると、画像処理装置１は、ステープルマークが位置するバンドの画像にステープルマークを合成して、そのバンドを合成した画像で表示し直す。
【０２４２】
図５９から図６２において、原稿画像ＩＭＧ１にステープルマーク１つを付加する場合について説明するが、複数のステープルマークを付加する場合であっても同様の動作である。図５９は、プレビュー表示した原稿画像にステープルマークを表示する場合のタイミングチャートを示す図である。図５９において、スキャン１２による原稿画像ＩＭＧ１の読取信号は、ＰＣＩメモリ７９ｂに瞬時に記録される（図５９（ａ）及び図５９（ｂ））。
【０２４３】
割込処理部７９ｃは、スキャナ１２が予め定められた1バンド分のライン数を読み取る毎に割込信号を発生させる（図５９（ｃ））。ＨＤＤ６８は画像転送クロックに応じて、画像合成処理部４１ｂ及び展開メモリ６７ａは割込信号に応じて、１バンド毎に画像部分を取り込んでいく（図５９（ｄ）、図５９（ｅ）及び図５９（ｆ））。
【０２４４】
展開メモリ６７ａに１バンド分の画像部分が取り込まれる毎に、表示合成処理部８２ａは、原稿画像ＩＭＧ１を読み込んで表示用に合成し（図５９（ｇ））、ＬＣＤコントローラ８５は、液晶パネル９０に表示用に合成された原稿画像ＩＭＧ１をバンドＬ１、Ｌ２、Ｌ３、Ｌ４及びＬ５の順に表示する（図５９（ｈ））。原稿画像ＩＭＧ１が合成され表示されるまでは略同時になされる。
【０２４５】
プレビュー表示された原稿画像ＩＭＧ１に対して、ユーザーがステープルボタン１００ｂを選択したり、ステープル位置を指定したりすると、表示合成処理部８２ａは、ステープル位置のバンドＬ１の画像部分とシンボルマーク領域８４ａから読み出したステープルマークとを合成して（部分合成５１）、既に表示されている原稿画像ＩＭＧ１上のステープル位置のバンドの画像部分を書き換えて表示する。図５９（ｈ）において、バンドＬ１'で示される画像部分で置き換えられる。
【０２４６】
原稿画像ＩＭＧ１以降、原稿画像ＩＭＧ２、ＩＭＧ３・・・の読み込みがあった場合には、図４５で示す通常処理のタイミングで同様に処理される。
【０２４７】
図６０は、ステープル位置指定による画面フローを示す図である。図６０に示す画面フローにおいて、バンドＬ１からＬ５の表示によって原稿画像ＩＭＧ１がプレビュー表示された状態で、ユーザーがステープル位置を指定すると、ステープル位置のバンドＬ１の画像部分が合成画像部分５２で置き換えられてプレビュー表示される。
【０２４８】
拡大してプレビュー表示する場合も図５９に示すように、同様に原稿画像が部分的に置き換えられる処理がなされる。ステープル位置が指定され確定したプレビュー表示について図６１で説明する。図６１（Ａ）に示す画面Ｇ５０１では、通常のプレビュー表示のシート画像ＳＨＴ１でステープル位置が指定され確定し、ＳＴＰＬ３１が表示されている。図６１（Ｂ）に示す画面Ｇ５０２では、ステープル位置が拡大された状態が表示されている。
【０２４９】
上述したように、本発明によれば、ユーザーは、プレビューを直接操作することによって、印刷の際の加工条件を設定することができる。また、プレビューの画像上でクリックやドラッグなどの操作で設定をすることが可能となる。ユーザーは、視覚的かつ直感的に設定を行うことができる。
【０２５０】
更に、プレビューの画像上で所望の位置をタッチするとステープルを打つ位置を指定できる。また、ボタンによる設定と、プレビューの画面上での操作による設定とで、ユーザーの操作性を向上させることができる。
【０２５１】
本発明は、具体的に開示された実施例に限定されるものではなく、特許請求の範囲から逸脱することなく、種々の変形や変更が可能である。
【符号の説明】
【０２５２】
１            画像処理装置
２            ソフトウェア群
４            ハードウェア資源
５            アプリケーション層
６            プラットフォーム
８            液晶パネル
８ａ          機能選択ボタン
８ｂ          操作ボタン
８ｃ          テンキーボタン
８ｄ          ボタン
８ｅ          スタートボタン
８ｆ          スイッチボタン
１１          プロッタ
１２          スキャナ
２２          コピーアプリ
３６          ＭＣＳ
４１          ＩＭＨ
４１ａ        圧縮伸張処理部
４１ｂ        画像合成処理部
６０          コントローラ
６１          ＣＰＵ
６２          システムメモリ
６３          ＮＢ
６６          ＡＳＩＣ
６７          ローカルメモリ
６７ａ        展開メモリ
６８          ＨＤＤ
７０          外部インタフェース
７３          ＰＣＩバス
７９          ＰＣＩバス
７９ａ        ＰＣＩコントローラ
７９ｂ        ＰＣＩメモリ
７９ｃ        割込処理部
８０          オペレーションパネル
８１          操作画面用ＣＰＵ
８２          プログラム用メモリ
８２ａ        表示合成処理部
８３          タッチパネル制御部
８４          表示データ用メモリ
８４ａ        シンボルマーク領域
８５          ＬＣＤコントローラ
９０          液晶パネル
９２          テーブル
【先行技術文献】
【特許文献】
【０２５３】
【特許文献１】特開２００４−２３４２６１号公報
【特許文献２】特開２００１−０４５２３９号公報
【図１】
2011229181.tif 000003
【図２】
2011229181.tif 000004
【図３】
2011229181.tif 000005
【図４】
2011229181.tif 000006
【図５】
2011229181.tif 000007
【図６】
2011229181.tif 000008
【図７】
2011229181.tif 000009
【図８】
2011229181.tif 000010
【図９】
2011229181.tif 000011
【図１０】
2011229181.tif 000012
【図１１】
2011229181.tif 000013
【図１２】
2011229181.tif 000014
【図１３】
2011229181.tif 000015
【図１４】
2011229181.tif 000016
【図１５】
2011229181.tif 000017
【図１６】
2011229181.tif 000018
【図１７】
2011229181.tif 000019
【図１８】
2011229181.tif 000020
【図１９】
2011229181.tif 000021
【図２０】
2011229181.tif 000022
【図２１】
2011229181.tif 000023
【図２２】
2011229181.tif 000024
【図２３】
2011229181.tif 000025
【図２４】
2011229181.tif 000026
【図２５】
2011229181.tif 000027
【図２６】
2011229181.tif 000028
【図２７】
2011229181.tif 000029
【図２８】
2011229181.tif 000030
【図２９】
2011229181.tif 000031
【図３０】
2011229181.tif 000032
【図３１】
2011229181.tif 000033
【図３２】
2011229181.tif 000034
【図３３】
2011229181.tif 000035
【図３４】
2011229181.tif 000036
【図３５】
2011229181.tif 000037
【図３６】
2011229181.tif 000038
【図３７】
2011229181.tif 000039
【図３８】
2011229181.tif 000040
【図３９】
2011229181.tif 000041
【図４０】
2011229181.tif 000042
【図４１】
2011229181.tif 000043
【図４２】
2011229181.tif 000044
【図４３】
2011229181.tif 000045
【図４４】
2011229181.tif 000046
【図４５】
2011229181.tif 000047
【図４６】
2011229181.tif 000048
【図４７】
2011229181.tif 000049
【図４８】
2011229181.tif 000050
【図４９】
2011229181.tif 000051
【図５０】
2011229181.tif 000052
【図５１】
2011229181.tif 000053
【図５２】
2011229181.tif 000054
【図５３】
2011229181.tif 000055
【図５４】
2011229181.tif 000056
【図５５】
2011229181.tif 000057
【図５６】
2011229181.tif 000058
【図５７】
2011229181.tif 000059
【図５８】
2011229181.tif 000060
【図５９】
2011229181.tif 000061
【図６０】
2011229181.tif 000062
【図６１】
2011229181.tif 000063